【事件の表示】
　特願２０１３−２０９４０６号「遊技機」拒絶査定不服審判事件〔平成２７年　４月２０日出願公開、特開２０１５−　７３５４９号〕について、次のとおり審決する。
【結　論】
　本件審判の請求は、成り立たない。
【理　由】
第１　手続の経緯
　本願は、平成２５年１０月４日の出願であって、平成２９年６月２１日付けで拒絶の理由が通知され、同年８月２３日に意見書及び手続補正書が提出されたところ、同年１０月３１日付けで拒絶査定（以下「原査定」という。）がなされ、それに対して、平成３０年２月２日に拒絶査定不服審判の請求がなされると同時に手続補正がなされたものである。
　
第２　平成３０年２月２日付け手続補正についての補正の却下の決定
〔補正の却下の決定の結論〕
　平成３０年２月２日付け手続補正についての補正（以下「本件補正」という。）を却下する。
　
〔理由〕
１　本件補正の内容
（１）本件補正は、特許請求の範囲についてする補正を含むものであって、平成２９年８月２３日付け手続補正によって補正された本件補正前の請求項１に、
「変動表示を実行する変動表示手段に導出された変動表示の表示結果が特定表示結果となったときに遊技者にとって有利な有利状態に制御可能な遊技機であって、
　変動表示に関する情報を保留記憶情報として記憶する保留記憶手段と、
　前記保留記憶手段に記憶されている前記保留記憶情報に対応する保留表示を行なう保留表示手段と、
　前記保留表示手段よりも後方に配置され、前記変動表示手段における変動表示に対応した表示を行なう演出表示手段と、
　前記保留表示手段と前記演出表示手段との間に配置された可動部材と、
　前記可動部材を制御する可動部材制御手段とを備え、
　前記可動部材制御手段は、前記保留表示の表示態様によって前記可動部材が動作する期待度が異なるように、前記可動部材を制御し
、
　
前
　
「変動表示を実行する変動表示手段に導出された変動表示の表示結果が特定表示結果となったときに遊技者にとって有利な有利状態に制御可能な遊技機であって、
　変動表示に関する情報を保留記憶情報として記憶する保留記憶手段と、
　前記保留記憶手段に記憶されている前記保留記憶情報に対応する保留表示を行なう保留表示手段と、
　前記保留表示手段よりも後方に配置され、前記変動表示手段における変動表示に対応した表示を行なう演出表示手段と、
　前記保留表示手段と前記演出表示手段との間に配置された可動部材と、
　前記可動部材を制御する可動部材制御手段とを備え、
　前記可動部材制御手段は、前記保留表示の表示態様によって前記可動部材が動作する期待度が異なるように、前記可動部材を制御し
、
　
前記演出表示手段は、前記保留表示手段に前記保留表示が表示されているときに前記保留記憶手段に記憶されている前記保留記憶情報に対応する演出保留表示を表示可能であり、
　
前
　
（２）本件補正後の請求項１に係る上記（１）の補正は、次の補正事項からなる。
　本件補正前の請求項１に係る発明を特定するために必要な事項である「演出表示手段」が「前記保留表示手段に前記保留表示が表示されているときに前記保留記憶手段に記憶されている前記保留記憶情報に対応する演出保留表示を表示可能であ」るとする補正。
　
２　本件補正の目的
（１）上記１（２）の補正は、願書に最初に添付された特許請求の範囲、明細書及び図面の【０３１０】等の記載に基づいて、本件補正前の請求項１において記載されていた「演出表示手段」が「前記保留表示手段に前記保留表示が表示されているときに前記保留記憶手段に記憶されている前記保留記憶情報に対応する演出保留表示を表示可能であ」ると限定するものである。
　
（２）以上のとおり、本件補正後の請求項１に係る上記１（２）の補正は、新規事項を追加するものではないから、特許法第１７条の２第３項に規定する要件を満たす。また、本件補正後の請求項１に係る上記１（２）の補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＧは、分説するため合議体が付した。
　
「Ａ　変動表示を実行する変動表示手段に導出された変動表示の表示結果が特定表示結果となったときに遊技者にとって有利な有利状態に制御可能な遊技機であって、
　Ｂ　変動表示に関する情報を保留記憶情報として記憶する保留記憶手段と、
　Ｃ　前記保留記憶手段に記憶されている前記保留記憶情報に対応する保留表示を行なう保留表示手段と、
　Ｄ　前記保留表示手段よりも後方に配置され、前記変動表示手段における変動表示に対応した表示を行なう演出表示手段と、
　Ｅ　前記保留表示手段と前記演出表示手段との間に配置された可動部材と、
　Ｆ　前記可動部材を制御する可動部材制御手段とを備え、
　Ｆ−１　前記可動部材制御手段は、前記保留表示の表示態様によって前記可動部材が動作する期待度が異なるように、前記可動部材を制御し、
　Ｄ−１　前記演出表示手段は、前記保留表示手段に前記保留表示が表示されているときに前記保留記憶手段に記憶されている前記保留記憶情報に対応する演出保留表示を表示可能であり、
　Ｃ−１　前記保留表示手段は、前記演出表示手段による表示が前記保留表示に作用することを示す表示となった場合に前記保留表示の表示態様を変化させる、
　Ｇ　遊技機。」
（２）引用例
　ア　原査定の拒絶の理由に引用文献１として引用され、本願出願前に頒布され又は電気通信回線を通じて公衆に利用可能となった特開２０１３−１０６７０４号公報（平成２５年６月６日出願公開、以下「引用例１」という。）には、遊技機に関し、次の事項が図とともに記載されている（下線は引用発明等の認定に関連する箇所を明示するために合議体が付した。以下同様。）。
　（ア）「【技術分野】
【０００１】
　この発明は、始動入賞装置に入賞した遊技球の有効保留数を表示する保留表示手段を備えた遊技機に関するものである。
　・・・略・・・
【発明が解決しようとする課題】
【０００５】
　ところで前記演出装置は、前記表示装置の表示部より前側において該表示部の上下または左右の周囲に配設されており、前記演出部材のサイズを大型にしたり、該演出部材の移動量を大きく設定することで、演出効果を高めることができる。従って前記演出装置は、前記表示装置の表示部での図柄変動演出の内容に連動して、前記演出部材を該表示部の前側へ延出するよう構成したものも多く実施されている。このように演出部材が表示装置の前側または表示部の前側まで延出して、かつ該演出部材が延出した状態のまま暫く停止するような演出態様の場合には、前記保留表示手段の前側に演出部材が位置して該保留表示手段が隠れてしまい、入賞した遊技球の有効保留数を遊技者が迅速に確認できない不都合が発生している。
【０００６】
　そこで本発明は、前述した課題を解決するために案出されたものであって、演出部材の移動に影響されることなく、保留表示手段による有効保留数の表示を確認し得るよう構成した遊技機を提供することを目的とする。
【課題を解決するための手段】
【０００７】
　前記課題を克服し、所期の目的を達成するため、本願の請求項１に係る発明は、
　遊技球が流下する遊技領域(10)が画成された遊技盤(D)の後側に配設され、前記遊技盤(D)に設けられた演出領域(28A)を介して該遊技盤(D)の前側に臨むと共に、前記遊技領域(10)に配設した始動入賞装置(20)への遊技球の入賞を契機として図柄変動演出が行なわれる表示装置(H)と、前記始動入賞装置(20)に入賞した遊技球の有効保留数を表示する保留表示手段(50)と、前記表示装置(H)の前方に重なる位置に移動可能な演出部材(102,103)とを備えた遊技機において、
　前記演出領域(28A)に臨む表示装置(H)の前方に重なる位置に、前記保留表示手段(50)が配設され、
　前記保留表示手段(50)と前記表示装置(H)との間に前記演出部材(102,103)が配設されたことを要旨とする。
【０００８】
　従って、請求項１に係る発明によれば、始動入賞装置への入賞が検出された遊技球の有効保留数を表示する保留表示手段が、表示装置の表示部に前方に重なる位置に配設すると共に、保留表示手段と表示部との間に演出部材を配設したから、演出部材が表示装置の表示部の前方へ移動しても保留表示手段が該演出部材で隠れることがない。従って、演出部材の動作に影響されることなく、常に保留表示手段での有効保留数の表示を視認することができ、有効保留数を的確かつ迅速に確認することができる。」
　（イ）「【実施例】
【００１５】
(パチンコ機)
　実施例に係る
パチンコ機Ｐ
　・・・略・・・
【００１７】
(遊技盤)
　前記遊技盤Ｄは、図２に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には図３および図４に示す設置部材３０が配設されている。また、前記遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射された遊技球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１８】
　前記遊技盤Ｄには、図３に示すように、中央に大きな貫通口１４が形成され、演出領域として前後に開口した表示窓口２８Ａが形成された枠状装飾部材(装飾部材)２８が、該貫通口１４の開口縁を覆うように配設されている。この枠状装飾部材２８には、遊技盤Ｄの前側に露出する部分に、前記設置部材３０の後側に着脱可能に配設された前記図柄表示装置Ｈ(図３参照)の表示演出部Ｈ１で表示される図柄変動演出の内容に合わせた装飾が施されている。そして、図２および図４に示すように、前記枠状装飾部材２８の表示窓口２８Ａには、
前記設置部材３０の後側に配設された図柄表示装置Ｈの表示演出部Ｈ１や、該設置部材３０の前側に配設される後述の可動演出装置１００および第１〜第３の装飾部材４０,４１,４２や、後述する保留表示装置５０等が臨むように構成されている
　・・・略・・・
【００２２】
　前記始動入賞装置２０、特別入賞装置２１および普通入賞具２２には、各々に入賞した遊技球を検知する球検知スイッチが個別に配設され、各球検知スイッチからの球検知信号は、前記設置部材３０の後側に取り付けられて当該パチンコ機Ｐを総合的に制御する主制御装置(図示せず)に送出される。前記
主制御装置は
統括制御装置
に
図柄表示装置Ｈに図柄変動演出を行なわせ
大当たり抽選の結果として大当たりが発生する場合には、図柄表示装置Ｈの表示演出部Ｈ１での図柄変動演出の後に、該表示演出部Ｈ１に所定の図柄組合わせで図柄が停止表示され、前記特別入賞装置２１の開閉扉２１Ａが開放位置に姿勢変位して多数の遊技球の入賞が可能となる
　・・・略・・・
【００２４】
　前記設置部材３０の設置壁部３１には、図３および図４に示すように、前後に貫通する表示開口(表示部)３４が形成されており、該設置壁部３１の後側には、該表示開口３４に前記表示演出部Ｈ１を臨ませた状態で前記図柄表示装置Ｈが着脱可能に取り付けられる。この図柄表示装置Ｈは、前記表示演出部Ｈ１を構成する液晶パネルが収容ケースに収容されたユニット部材であって、該収容ケースの後面には、該図柄表示装置Ｈの表示演出部Ｈ１の表示制御を行なう表示制御装置と、当該パチンコ機Ｐの遊技演出を統括的に制御する前記統括制御装置が配設される。統括制御装置には、設置壁部３１の後側に配設した中継基板(図示せず)を介して前記図柄表示装置Ｈ、前記前枠Ｃに配設された照明装置や前記中枠Ｂに配設されたスピーカ等が電気的に接続されており、該統括制御装置から出力される制御信号に基づいて各装置が作動制御される。また統括制御装置には、設置壁部３１の前側に配設された前記各装飾部材４０,４１,４２や、前記可動演出装置１００等が電気的に接続されており、該統括制御装置から出力される制御信号に基づいて各照明装置の点灯制御や可動演出装置１００の作動が制御される。なお実施例では、前記設置壁部３１について、表示開口３４の上側部分を上板部３１Ａ、表示開口３４の下側部分を下板部３１Ｂ、表示開口３４の右側部分を右板部３１Ｃ、表示開口３４の左側部分を左板部３１Ｄと各々指称する。前記設置壁部３１の上板部３１Ａ、下板部３１Ｂ、右板部３１Ｃおよび左板部３１Ｄは、前後方向への部分的な凹凸や段差があるものの、基本的には垂直に形成されて前記遊技盤Ｄの後面と平行になっている。」
　（ウ）「【図２】
」
　（エ）「【００２６】
(保留表示装置)
　そして、実施例のパチンコ機Ｐでは、パチンコ遊技において、
前記図柄表示装置Ｈの表示演出部Ｈ１での図柄変動演出中に前記始動入賞装置２０の第１始動入賞口２０Ａまたは第２始動入賞口２０Ｂに次の遊技球が入賞して検出されると、予め設定された数
までを有効保留として記憶して
先に入賞した遊技球による表示部での図柄変動演出が終了すると、次に入賞した遊技球による図柄変動演出を連続して行なうようになっている
始動入賞装置２０の第１始動入賞口２０Ａで発生した保留球に係る有効保留数と、前記第２始動入賞口２０Ｂで発生した保留球に係る
有効保留数
とを表示する保留表示手段としての保留表示装置５０が
可動演出装置１００の前側に取付けられている
【００２７】
　前記保留表示装置５０は、図３〜図６に示すように、前記表示開口３４の左右開口幅と略同じ横幅寸法で横長に形成されて、前記底壁部材４３の前側および可動演出装置１００の前側に固定される本体部５１と、この本体部５１の上部左側から上方へ突出すると共に右方へ屈曲して延出する第１保留表示部５２と、前記本体部５１の上部右側から上方へ突出すると共に左方へ屈曲して延出する第２保留表示部５３とを備えている。前記第１保留表示部５２は、前記始動入賞装置２０の第１始動入賞口２０Ａに入賞した遊技球の有効保留数を表示するものであり、前記第２保留表示部５３は、該始動入賞装置２０の第２始動入賞口２０Ｂに入賞した遊技球の有効保留数を表示するものである。このような保留表示装置５０は、前記本体部５１、第１保留表示部５２および第２保留表示部５３を一体に形成した前パネル部材５５と、この前パネル部材５５の後側に取付けられた後パネル部材５６と、これら前パネル部材５５と後パネル部材５６との間に挟持された表示基板５７とで構成されている。
　・・・略・・・
【００３５】
(第１保留表示部)
　前記
第１保留表示部５２は
第１保留表示ランプ７１、第２保留表示ランプ７２、第３保留表示ランプ７３および第４保留表示ランプ７４を備えている
第１保留表示部５２は、前記始動入賞装置２０の第１始動入賞口２０Ａにおいて遊技球の連続入賞により有効保留数が「１」となった場合には、前記第１保留表示ランプ７１のＬＥＤ６４が発光制御され、これにより該第１保留表示ランプ７１が点灯して有効保留数が１つであることを表示する
第１始動入賞口２０Ａにおける有効保留数が「２」となった場合には、更に前記第２保留表示ランプ７２のＬＥＤ６４が発光制御され、前記第１保留表示ランプ７１および当該第２保留表示ランプ７２が同時に点灯して有効保留数が２つであることを表示する
第１始動入賞口２０Ａにおける有効保留数が「３」となった場合には、第１〜第３の各保留表示ランプ７１,７２,７３が同時に点灯して有効保留数が３つであることを表示し、第１始動入賞口２０Ａにおける有効保留数が「４」となった場合には、第１〜第４の各保留表示ランプ７１,７２,７３,７４が同時に点灯して有効保留数が４つであることを表示する
【００３６】
(第２保留表示部)
　前記
第２保留表示部５３は
第５保留表示ランプ７５、第６保留表示ランプ７６、第７保留表示ランプ７７および第８保留表示ランプ７８を備えている
第２保留表示部５３は、前記始動入賞装置２０の第２始動入賞口２０Ｂにおいて遊技球の連続入賞により有効保留数が「１」となった場合には、前記第５保留表示ランプ７５のＬＥＤ６５が発光制御され、これにより該第５保留表示ランプ７５が点灯して有効保留数が１つであることを表示する
第２始動入賞口２０Ｂにおける有効保留数が「２」となった場合には、更に前記第６保留表示ランプ７６のＬＥＤ６５が発光制御され、前記第５保留表示ランプ７５および当該第６保留表示ランプ７６が同時に点灯して有効保留数が２つであることを表示する
第２始動入賞口２０Ｂにおける有効保留数が「３」となった場合には、第５〜第７の各保留表示ランプ７５,７６,７７が同時に点灯して有効保留数が３つであることを表示し、第２始動入賞口２０Ｂにおける有効保留数が「４」となった場合には、第５〜第８の各保留表示ランプ７５,７６,７７,７８が同時に点灯して有効保留数が４つであることを表示する
【００３７】
　前記第１保留表示部５２および第２保留表示部５３の前側には、図１〜図３に示すと共に前述したように、前記枠状装飾部材２８に配設した前記透明保護板９５が位置している。従って、前記球通入口９０から表示窓口２８Ａ内へ流入した遊技球が、前記第１保留表示部５２および第２保留表示部５３の前側において球案内面９１を転動する際に、前記透明保護板９５により両保留表示部５２,５３の前面に接触することが防止されるようになっている。
【００３８】
(可動演出装置)
　前記
可動演出装置１００は
装置本体１０１と、この装置本体１０１に回転可能に配設された第１演出部材１０２と、この第１演出部材１０２に進退可能に配設された第２演出部材１０３とを備えている
この可動演出装置１００は、非作動時において、前記第２演出部材１０３が第１演出部材１０２側に移動した状態で、前記保留表示装置５０と前記図柄表示装置Ｈとの間に上方から収容されると共に、作動時には上方へ回転して前記表示開口３４の中央側に向けて右上がりの傾斜状に姿勢変位するようになっている
」
　（オ）「【図９】
【図１０】
」
　（カ）「【００４５】
(実施例の作用)
　前述のように構成された実施例のパチンコ機Ｐでは、前記遊技盤Ｄの遊技領域１０へ打ち出された遊技球が前記始動入賞装置２０の第１始動入賞口２０Ａまたは第２始動入賞口２０Ｂに入賞して、該始動入賞装置２０に配設された球検知スイッチによる球検知信号を前記主制御装置が受けると、該主制御装置は、大当たり抽選を行なうと共に、前記統括制御装置に制御信号を出力して前記図柄表示装置Ｈの表示演出部Ｈ１において図柄変動演出を行なわせる。そして主制御装置は、前記大当たり抽選の結果として大当たりが発生すると、前記統括制御装置を介して図柄表示装置Ｈの表示演出部Ｈ１に所定の図柄組合わせで図柄を停止表示させ、前記特別入賞装置２１の開閉扉２１Ａを開放動作させて入賞口を開放させる。また
前記統括制御装置は、前記主制御装置からの制御信号に基づき、前記可動演出装置１００や
その他の遊技部品を、前記図柄表示装置Ｈの表示演出部Ｈ１での図柄演出内容に合わせて総合的に作動制御する
　・・・略・・・
【００４８】
　そして、前記可動演出装置１００は、前記保留表示装置５０と図柄表示装置Ｈの表示開口３４に臨む表示演出部Ｈ１との間において、前記第１姿勢と第２姿勢との間および第２姿勢と第３姿勢との間を姿勢変位する。従って、前記保留表示装置５０の第１保留表示部５２および第２保留表示部５３が、前記可動演出装置１００の姿勢変位する第１演出部材１０２および第２演出部材１０３で隠れることがない。
　・・・略・・・
【００５１】
　また、前記図柄表示装置Ｈにおける前記表示開口３４に臨んだ表示演出部Ｈ１での図柄演出表示と、該表示演出部Ｈ１の前方に重なって位置する第１保留表示部５２の第１〜第４の各保留表示ランプ７１〜７４の点灯および第２保留表示部５３の第５〜第８の各保留表示ランプ７５〜７８の点灯表示とが重なるようになるから、図柄演出部Ｈ１での図柄演出表示と各第１〜第８の各保留表示ランプ７１〜７８の点灯表示とを連動させることができる。また、図柄演出部Ｈ１の前方に離れた位置で第１〜第８の各保留表示ランプ７１〜７８が点灯するので、立体感のある演出表示を行なうこともできる。」
　（キ）【００１８】（上記（イ））の記載からみて、「設置部材３０」を基準に、後側に図柄表示装置Ｈの表示演出部Ｈ１は配設され、同じく前側に保留表示装置５０が配設されているから、
図柄表示装置の表示演出部Ｈ１は、保留表示装置５０より後方に配置されている
主制御装置が有効保留を記憶する
　（ク）上記（ア）ないし（キ）からみて、引用例１には、実施例として、次の発明が記載されている。なお、ａないしｇについては本願補正発明のＡないしＧに対応させて付与し、引用箇所の段落番号等を併記した。
「ａ　図柄表示装置Ｈに図柄変動演出を行なわせ、大当たり抽選の結果として大当たりが発生する場合には、図柄表示装置Ｈの表示演出部Ｈ１での図柄変動演出の後に、該表示演出部Ｈ１に所定の図柄組合わせで図柄を停止表示させる統括制御装置と、特別入賞装置２１の開閉扉２１Ａが開放位置に姿勢変位して多数の遊技球の入賞を可能とさせる主制御装置とを備えたパチンコ機Ｐであって（【００１５】、【００２２】）、
　ｂ　主制御装置は、前記図柄表示装置Ｈの表示演出部Ｈ１での図柄変動演出中に始動入賞装置２０の第１始動入賞口２０Ａまたは第２始動入賞口２０Ｂに次の遊技球が入賞して検出されると、予め設定された数までを有効保留として記憶して、統括制御装置は、先に入賞した遊技球による表示部での図柄変動演出が終了すると、次に入賞した遊技球による図柄変動演出を連続して行い（【００２６】）、
　ｃ　前記第１始動入賞口２０Ａで発生した保留球に係る有効保留数を表示する、第１保留表示ランプ７１、第２保留表示ランプ７２、第３保留表示ランプ７３および第４保留表示ランプ７４を備える第１保留表示部５２と、前記第２始動入賞口２０Ｂで発生した保留球に係る有効保留数を表示する、第５保留表示ランプ７５、第６保留表示ランプ７６、第７保留表示ランプ７７および第８保留表示ランプ７８を備える第２保留表示部５３とにより構成される保留表示装置５０を備え、具体的には、第１保留表示部５２は、前記始動入賞装置２０の第１始動入賞口２０Ａにおいて遊技球の連続入賞により有効保留数が「１」となった場合には、前記第１保留表示ランプ７１のＬＥＤ６４が発光制御され、これにより該第１保留表示ランプ７１が点灯して有効保留数が１つであることを表示し、第１始動入賞口２０Ａにおける有効保留数が「２」となった場合には、更に前記第２保留表示ランプ７２のＬＥＤ６４が発光制御され、前記第１保留表示ランプ７１および当該第２保留表示ランプ７２が同時に点灯して有効保留数が２つであることを表示し、第１始動入賞口２０Ａにおける有効保留数が「３」となった場合には、第１〜第３の各保留表示ランプ７１,７２,７３が同時に点灯して有効保留数が３つであることを表示し、第１始動入賞口２０Ａにおける有効保留数が「４」となった場合には、第１〜第４の各保留表示ランプ７１,７２,７３,７４が同時に点灯して有効保留数が４つであることを表示するものであり、第２保留表示部５３についても同様に表示する制御を行い（【００２６】、【００３５】、【００３６】）、
　ｄ、ｅ　装置本体１０１と、この装置本体１０１に回転可能に配設された第１演出部材１０２と、この第１演出部材１０２に進退可能に配設された第２演出部材１０３とを備えた可動演出装置１００であって、その非作動時において、前記第２演出部材１０３が第１演出部材１０２側に移動した状態で、前記保留表示装置５０と、該保留表示装置５０より後方に配置された図柄変動演出を行う前記図柄表示装置Ｈとの間に上方から収容されると共に、作動時には上方へ回転して前記表示開口３４の中央側に向けて右上がりの傾斜状に姿勢変位するようになっている可動演出装置１００と（【００１５】、【００３８】、図９、１０）、
　ｆ、ｆ−１’統括制御装置は、主制御装置からの制御信号に基づき、前記可動演出装置１００やその他の遊技部品を、図柄表示装置Ｈの表示演出部Ｈ１での図柄演出内容に合わせて総合的に作動制御する（【００４５】）、
　ｇ　パチンコ機Ｐ。」（以下「引用発明」という。）
　イ　原査定の拒絶の理由に引用文献２として引用され、本願出願前に頒布され又は電気通信回線を通じて公衆に利用可能となった特開２０１１−１４３１７４号公報（平成２３年７月２８日出願公開、以下「引用例２」という。）には、パチンコ遊技機に関し、次の事項が図とともに記載されている。
　（ア）「【発明を実施するための形態】
【００１９】
　以下、適宜図面を参照しつつ、本発明の一実施形態に係るパチンコ遊技機について説明する。
【００２０】
［パチンコ遊技機１の概略構成］
　まず、パチンコ遊技機１の概略構成及び動作について説明する。図１は、パチンコ遊技機１の概略正面図である。パチンコ遊技機１は、遊技者の所定操作によって打ち出された遊技球が入賞すると賞球を払い出すように構成されている。図１に示されるように、パチンコ遊技機１は、遊技球が打ち出される遊技盤２と、遊技盤２を囲む枠部材５とを備えている。枠部材５は、遊技盤２に対して蝶番（不図示）を介して開閉可能に構成されると共に、遊技盤２に対して着脱可能に構成されている。
　・・・略・・・
【００３４】
　図１に示されるように、画像表示器６の表示画面には、図柄表示領域６０、第１保留数表示領域６１、第２保留数表示領域６２が設けられている。パチンコ遊技機１では、第１始動口２１又は第２始動口に遊技球が入って入賞すると大当たり抽選（第１特別図柄抽選又は第２特別図柄抽選）が実行される。大当たり抽選が行われた場合、画像表示器６の図柄表示領域６０において、横方向に並んだ３列の特別図柄が上から下へ流れて見えるような動画像が予め設定された変動時間だけ表示される。そして、変動時間が経過すると、大当たり抽選の結果を示す停止図柄の静止画像が表示される。その際、あるライン上に同一或いは関連性のある図柄が揃うと（例えば「７７７」等の所定の特別図柄が表示されると）、大入賞口２３が開いて大当たり状態となり、遊技者が多量の賞球を得ることが可能な大当たり遊技を楽しむことができる。また、図柄が揃わない停止図柄（図１に示される例では「７７６」）が図柄表示領域６０に表示された場合にはハズレとなり、大入賞口２３は開かない。
【００３５】
　ところで、パチンコ遊技機１では、図柄表示領域６０に特別図柄が変動表示されている間に第１始動口２１又は第２始動口２２に新たな遊技球が入って入賞した場合、その入賞した遊技球に対する大当たり抽選や特別図柄の変動表示は、先に入賞した遊技球に対する特別図柄の変動表示及び停止図柄の表示が終了するまで保留される。第１保留数表示領域６１には、第１始動口２１に入賞したにも拘わらず第１特別図柄抽選（大当たり抽選）が保留されている遊技球（いわゆる保留球）と同数の保留球画像が、パチンコ遊技機１において保留可能な第１特別図柄抽選の最大保留数Ｕｍａｘ１（本実施形態では「４」）を上限として表示される。図１に示される例では、第１特別図柄抽選に対する保留球が４であることを示す４個の保留球画像が第１保留数表示領域６１に表示されている。
【００３６】
　第２保留数表示領域６２には、第２始動口２２に入賞したにも拘わらず第２特別図柄抽選（大当たり抽選）が保留されている遊技球（保留球）と同数の保留球画像が、パチンコ遊技機１において保留可能な第２特別図柄抽選の最大保留数Ｕｍａｘ２（本実施形態では「４」）を上限として表示される。図１に示される例では、第２特別図柄抽選に対する保留数が２であることを示す２個の保留球画像が第２保留数表示領域６１に表示されている。
　・・・略・・・
【００３９】
　遊技盤２の前面には、各種の演出に用いられる盤ランプ８及び可動役物７（本発明の演出手段の一例）が配置されている。盤ランプ８は、遊技者によるゲームの進行に応じて発光することによって光による各種の演出を行う。可動役物７は、発光しながら遊技盤２に対して回転することにより、各種の演出を行う。なお、可動役物７は、遊技盤２に対して所定方向へ移動するものであってもよい。また、可動役物７の形状は、星形に限定されるものではなく、例えば動植物の一部を模した形状等、様々な形状が考えられる。
【００４０】
　図３は、図１における表示器４の拡大図である。表示器４は、上述した特別図柄抽選や普通図柄抽選の結果や保留数に関する情報を表示するものである。図３に示されるように、表示器４は、第１特別図柄表示器４１、第２特別図柄表示器４２、第１特別図柄保留表示器４３、第２特別図柄保留表示器４４、普通図柄表示器４５、普通図柄保留表示器４６、及び遊技状態表示器４７を備えている。
【００４１】
　第１特別図柄表示器４１は、第１始動口２１に遊技球が入賞したことを契機として変動する図柄を表示するものであり、例えば７セグ表示装置で構成される。第１特別図柄表示器４１は、例えば、第１始動口２１に遊技球が入賞した場合、特別図柄（第１特別図柄）を変動表示してその抽選結果を表示する。第２特別図柄表示器４２は、第２始動口２２に遊技球が入賞したことを契機として変動する図柄を表示するものであり、例えば７セグ表示装置で構成される。第２特別図柄表示器４２は、例えば、第２始動口２２に遊技球が入賞した場合、特別図柄（第２特別図柄）を変動表示してその抽選結果を表示する。普通図柄表示器４５は、ゲート２５を遊技球が通過することに対応して変動する図柄を表示するものであり、例えばＬＥＤ表示装置で構成される。普通図柄表示器４５は、例えば、遊技球がゲート２５を通過した場合、普通図柄を変動表示してその抽選結果を表示する。
　・・・略・・・
【００６９】
　特別図柄処理（ステップＳ４）では、遊技制御部１００は、大当たり抽選を実行し、画像表示器６の図柄表示領域６０に特別図柄を変動表示してから大当たり抽選の結果を示す停止図柄を表示するための処理を実行する。この特別図柄処理については、図１１に基づいて後に詳述する。」
　（イ）「【図１】
」
　（ウ）「【０１８３】
［リーチ予告を示す保留球画像の表示例］
　以下、保留球画像の態様及び保留球画像に対応する保留球消化時に行われる遊技演出について、画像表示器６の第１保留数表示領域６１に保留球画像が表示される場合を例に説明する。図１７は、第１演出記憶部１６１に記憶された遊技演出情報、予告フラグ、及び予告内容情報の一例を示す図である。図１８及び図１９は、保留球の消化に伴って特別図柄及び保留球画像が変化する様子を示す画像表示器６の画面図の一例を示す図である。
【０１８４】
　図１７に示される例では、第１始動口２１に入賞した４個の保留球が保留されていることを示す遊技演出情報及び予告フラグが第１演出記憶部１６１に記憶されている。具体的には、リーチ無し演出を実行することを示す遊技演出情報と予告フラグがＯＦＦに設定されていることを示す情報が第１記憶部１６１Ａ及び第３記憶部１６１Ｃに記憶され、Ａリーチの演出を実行することを示す遊技演出情報及び予告内容情報と予告フラグがＯＮに設定されていることを示す情報が第２記憶部１６１Ｂに記憶され、Ｂリーチの演出を実行することを示す遊技演出情報及び予告内容情報と予告フラグがＯＮに設定されていることを示す情報が第４記憶部１６１Ｄに記憶されている。
【０１８５】
　第１演出記憶部１６１にこのような情報が記憶されている状態で保留表示コマンドがセットされた場合、図１８（Ａ）に示されるように、第１保留数表示領域６１に４個の保留球画像２０１〜２０４が表示される。上述したように、予告フラグがＯＮに設定されていることを示す情報、及びＡリーチの演出を示す予告内容情報が第２記憶部１６１Ｂに記憶されているので、第２記憶部１６１Ｂに対応する２つ目の
保留球画像２０２が「Ａリーチ」という文字を含んだ態様で表示されている
保留球画像２０４が「Ｂリーチ」という文字を含んだ態様で表示されている
　（エ）「【図１８】
」
　（オ）「【０１９２】
［役物可動予告を示す保留球画像の表示例］
　図２０は、第１演出記憶部１６１に記憶された遊技演出情報、予告フラグ、及び予告内容情報の一例を示す図である。図２１は、保留球の消化に伴って可動役物７が動作する様子を示す図である。
【０１９３】
　図２０には、第１記憶部１６１Ａに記憶されていた遊技演出情報、予告フラグ、及び予告内容情報が消去され、第２記憶部１６１Ｂに記憶されていた遊技演出情報、予告フラグ、及び予告内容情報が第１記憶部１６１Ａにシフトされた直後の第１演出記憶部１６１の一例が示されている。第１記憶部１６１Ａには、保留球消化時にスーパーリーチ演出、及び役物可動予告が実行されることを示す遊技演出情報、予告フラグがＯＮに設定されていることを示す情報、及び役物可動予告を先読み予告することを示す予告内容情報が記憶されている。このため、保留表示コマンドがセットされることにより、
「役」という文字を含んだ態様の保留球画像２０６が画像表示器６の第１保留数表示領域６１に表示されている
【０１９４】
　この状態で演出制御部１３０が変動開始コマンドを受信すると、
「役」という文字を含んだ保留球画像２０６が第１保留数表示領域６１から消去されると共に、特別図柄の変動表示が開始される
大当たりになるのではないかという期待感を遊技者に与えるために、ランプ制御部１５０のＣＰＵ１５１は、可動役物７に
回転させるといった動作を実行させる
【０１９５】
　このように、パチンコ遊技機１では、可動役物７を遊技者が特定可能な文字（ここでは「役」の文字）を含む保留球画像２０６が画像表示器６に表示される。そして、このように特別な態様で表示された保留球画像２０６に対応する保留球が消化される際には、保留球画像２０６で先読み予告されていた役物可動予告が実際に行われることとなる。
【０１９６】
　役物可動予告は、例えば、大当たりに対する信頼度が低い場合には行われず、大当たりに対する信頼度が高い場合に行われるというように、大当たりに対する信頼度に応じて可動役物７を動作させるか否かが決められている。
パチンコ遊技機１では、保留球画像２０６の表示によって役物可動予告が先読み予告される
【０１９７】
　なお、役物可動予告を示唆する保留球画像２０６は、大当たりの信頼度に応じて異なる色で表示されてもよい。例えば、大当たりに対する信頼度が低い場合には「役」の文字を含む緑色の保留球画像２０６を表示し、大当たりに対する信頼度が高い場合には「役」の文字を含む赤色の保留球画像２０６を表示するようにしてもよい。また、「役」という文字の色を、大当たりの信頼度に応じて変更するようにしてもよい。さらにまた、可動役物７の動作を遊技者が特定可能な文字を含む保留球画像を表示するようにしてもよい。」
　（カ）「【図２１】
」
　（キ）上記（ア）ないし（カ）からみて、引用例２には、パチンコ遊技機の実施形態として、次の事項が記載されている。
「保留球画像２０６の表示によって役物可動予告が先読み予告されるパチンコ遊技機１において（【０１９６】）、
　「Ａリーチ」、「Ｂリーチ」及び「役」のいずれかの文字を含んだ態様で表示される保留球画像（【０１８５】、【０１９３】、図１８、図２１）のうち、「役」という文字を含んだ態様の保留球画像２０６が画像表示器６の第１保留数表示領域６１に表示され、該保留球画像２０６が第１保留数表示領域６１から消去されると共に、特別図柄の変動表示が開始され、大当たりになるのではないかという期待感を遊技者に与えるために、可動役物７に回転させるといった動作を実行させる、ランプ制御部１５０のＣＰＵ１５１を備えたこと（【０１９３】、【０１９４】、図２１）。」（以下「引用例２の記載事項」という。）
（３）対比
　ア　本願補正発明と引用発明とを対比する。なお、以下の見出し（ａ）ないし（ｇ）は、本願補正発明のＡないしＧに対応させている。
　（ａ）引用発明の「パチンコ機Ｐ」は、本願補正発明の「遊技機」に相当する。また、引用発明の「特別入賞装置２１の開閉扉２１Ａが開放位置に姿勢変位して多数の遊技球の入賞が可能となる」状態は、本願補正発明の「遊技者にとって有利な有利状態」に相当する。
　そうすると、引用発明の特定事項ａと、本願補正発明の特定事項Ａとは、「Ａ’遊技者にとって有利な有利状態に制御可能な遊技機」である点で共通する。
　（ｂ）引用発明の特定事項ｂにおける「有効保留」は、前記図柄表示装置Ｈの表示演出部Ｈ１での図柄変動演出中に始動入賞装置２０の第１始動入賞口２０Ａまたは第２始動入賞口２０Ｂに次の遊技球が入賞して検出されると、主制御装置により情報として記憶されるものであり、この記憶された情報に基づいて、統括制御装置により、先に入賞した遊技球による表示部での図柄変動演出が終了すると、次に入賞した遊技球による図柄変動演出を連続して行なうようになっている。また、本願補正発明の「変動表示」は、本願の明細書（【０００７】等）の記載を参酌すると、特別図柄又は演出図柄の変動表示を意味することが明らかであるから、引用発明の「図柄変動演出」と、本願補正発明の「変動表示」とは、「図柄変動」である点で共通する。また、引用発明は、「有効保留」（保留記憶情報）を記憶しているのであるから、本願補正発明の「保留記憶手段」に相当するものを備えることは明らかである。
　してみると、引用発明の特定事項ｂと、本願補正発明の特定事項Ｂとは、「Ｂ’図柄変動に関する情報を保留記憶情報として記憶する保留記憶手段」である点で共通する。
　（ｃ）引用発明の特定事項ｃの「保留表示装置５０」は、要するに、「有効保留」（保留記憶情報）の数、すなわち「有効保留数」を、対応する数となるように保留された順に複数の保留表示ランプで表示するものである。また、引用発明の「統括制御装置」は、「主制御装置からの制御信号に基づ」いてパチンコ機Ｐの遊技演出を統括的に制御するものであり、「主制御装置」からの保留記憶情報に基づいて「有効保留数」が表示されるように制御ししているといえるところ、技術常識からみて、保留表示装置５０も表示制御することは明らかである。そうすると、引用発明の「統括制御装置」及び「保留表示装置５０」は、本願補正発明の「保留表示手段」に相当するものであるから、引用発明の特定事項ｃは、本願補正発明の特定事項Ｃに相当する。
　（ｄ）（ｅ）引用発明の「図柄表示装置Ｈ」は、表示演出部Ｈ１を備え、図柄変動演出を行うものであるから、本願補正発明の「演出表示手段」に相当するといえる。また、引用発明は、「図柄表示装置Ｈ」（演出表示手段）が「保留表示装置５０」（保留表示手段）より後方に配置されているものであるから、引用発明の特定事項ｄと、本願補正発明の特定事項Ｄとは、「Ｄ’前記保留表示手段よりも後方に配置されている演出表示手段」を備えている点で共通する。
　また、引用発明は、可動演出装置１００の非作動時において、第２演出部材１０３が第１演出部材１０２側に移動した状態で、保留表示装置５０（保留表示手段）と、該保留表示装置５０より後方に配置された前記図柄表示装置Ｈ（演出表示手段）との間に上方から収容されることから、引用発明の特定事項ｄ、ｅと、本願補正発明の特定事項Ｅとは、「Ｅ’前記保留表示手段と前記演出表示手段との間に配置された可動部材」を備えている点で共通する。
　（ｆ）引用発明は、統括制御装置が主制御装置からの制御信号に基づき、前記可動演出装置１００を総合的に作動制御するのであるから、引用発明の特定事項ｆは、本願補正発明の特定事項Ｆに相当する。
　（ｇ）上記（ａ）のとおり、引用発明の「パチンコ遊技機Ｐ」は、本願補正発明の「遊技機」に相当する。
　イ　上記アからみて、本願補正発明と引用発明とは、
「Ａ’遊技者にとって有利な有利状態に制御可能な遊技機であって、
　Ｂ’図柄変動に関する情報を保留記憶情報として記憶する保留記憶手段と、
　Ｃ　前記保留記憶手段に記憶されている前記保留記憶情報に対応する保留表示を行なう保留表示手段と、
　Ｄ’前記保留表示手段よりも後方に配置されている演出表示手段と、
　Ｅ’前記保留表示手段と前記演出表示手段との間に配置された可動部材と、
　Ｆ　前記可動部材を制御する可動部材制御手段と
　を備えた、
　Ｇ　遊技機。」である点で一致し、次の点で相違する。
　・相違点１（特定事項Ａ、Ｂ、Ｄ、Ｅ）
　「遊技者にとって有利な有利状態に制御可能」とする契機が、
　本願補正発明では、「変動表示を実行する変動表示手段に導出された変動表示の表示結果が特定表示結果となったとき」であるのに対し、
　引用発明では、図柄変動演出を行う図柄表示装置Ｈ（演出表示手段）の表示演出部Ｈ１に、所定の図柄組合わせで図柄が停止表示したときである点。
　・相違点２（特定事項Ｆ−１）
　「前記可動部材制御手段」は、
　本願補正発明では、「前記保留表示の表示態様によって前記可動部材が動作する期待度が異なるように、前記可動部材を制御」するのに対し、
　引用発明では、そのような特定がない点。
　・相違点３（特定事項Ｄ−１）
　本願補正発明では、「前記演出表示手段は、前記保留表示手段に前記保留表示が表示されているときに前記保留記憶手段に記憶されている前記保留記憶情報に対応する演出保留表示を表示可能である」のに対し、
　引用発明では、そのような特定がない点。
　・相違点４（特定事項Ｃ−１）
　「前記保留表示手段」は、
　本願補正発明では、「前記演出表示手段による表示が前記保留表示に作用することを示す表示となった場合に前記保留表示の表示態様を変化させる」のに対し、
　引用発明では、そのような特定がない点。
（４）判断
　ア　相違点１について検討する。
　（ア）パチンコ遊技機において、変動表示手段として、副制御手段により制御される液晶表示装置等からなる可変表示装置とは別に、主制御手段により制御される７セグ等からなる特別図柄表示器を備え、前記可変表示装置の変動表示と、前記特別図柄表示器の変動表示とが対応するように構成することは本願の出願前に周知（以下「周知技術１」という。例．原査定の拒絶の理由で引用された上記引用例２（【００４０】、【００４１】、【００６９】参照。）、特開２０１１−３０７１６号公報（【０００１】、【００１６】、【００１９】）、特開２０１１−２０６４３１号公報（【０００１】、【００２３】、【００３６】、【００３７】））である。
　（イ）上記（ア）からみて、引用発明において、統括制御装置で制御する図柄表示装置Ｈに加え、主制御装置で制御する７セグ等からなる特別図柄表示器を備えるようになすことは、当業者が周知技術１に基づいて適宜なし得たことである。そのようになした際に、図柄表示装置Ｈの表示が特別図柄表示器の変動表示に対応することは明らかであり、特別図柄表示器が変動表示手段の役割を果たすとともに、図柄表示装置Ｈが演出表示手段としての役割を果たすことは当業者に自明であるから、引用発明において、上記相違点１に係る本願補正発明の特定事項のようになすことは当業者が周知技術１に基づいて適宜なし得たことにすぎない。
　イ　相違点２について検討する。
　（ア）引用例２の記載事項（上記（２）イ（キ））は、保留球画像２０６の表示によって役物可動予告が先読み予告されるパチンコ遊技機１において、「Ａリーチ」、「Ｂリーチ」及び「役」のいずれかの文字を含んだ態様で表示される保留球画像のうち、「役」という文字を含んだ態様の保留球画像２０６が画像表示器６の第１保留数表示領域６１に表示され、該保留球画像２０６が第１保留数表示領域６１から消去されると共に、特別図柄の変動表示が開始され、大当たりになるのではないかという期待感を遊技者に与えるために、可動役物７に回転させるといった動作を実行させる、ランプ制御部１５０のＣＰＵ１５１を備えたものであり、要するに、保留球画像が、複数種の表示態様のうち、「役」という文字を含んだ態様である場合に、可動役物７を回転させるものである。
　（イ）ＬＥＤ等の発光部材を用いて保留表示を行う保留表示手段を備えたパチンコ遊技機において、前記保留表示手段の表示態様（発光色や点滅など）によって、遊技に関する期待度が異なることは本願の出願前に周知（以下「周知技術２」という。例．特開２００１−１７８９０４号公報（【００１４】、【００３０】ないし【００３８】、図７には、保留表示領域５１をフルカラーＬＥＤ等の多色発光部材を用いて構成し、該保留表示領域５１の発光色を変化させることにより、遊技者に有利なゲーム内容となる可能性を予告していることが記載されている。）、上記特開２０１１−３０７１６号公報（【０００１】、【００１９】、【００３７】、【００５８】、【００５９】、図１５、図１６には、先読みが大当り等の特定結果になったことを契機として、枠装飾装置６０の保留表示を点滅させることが記載されている。）、特開２００３−３４００３８号公報（【００３０】、【０１１４】、【０１１５】、図１０には、予告報知の成立として、始動記憶表示器１８２を点滅させていることが記載されている。））である。
　（ウ）引用発明も引用例２の記載事項も、可動部材を備えるパチンコ遊技機で共通し、さらに可動部材を演出表示手段（図柄表示装置Ｈの表示演出部Ｈ１）での演出内容に合わせて作動させることでも共通するものである。そうすると、引用例２の記載事項に接した当業者であれば、引用発明において、引用例２の記載事項を適用しようと試みるものである。
　そして、具体的には、引用例２の記載事項は、保留球画像が、「役」という文字を含んだ態様である場合に可動役物７を回転させ、保留球画像が、他の表示態様では、可動役物７を回転させることが明示されていないのであるから、本願補正発明の特定事項Ｆ−１のうち、「前記保留表示の表示態様によって前記可動部材が動作する期待度が異なるように、前記可動部材を制御」するという特定事項を備えるものである。
　そうすると、引用発明において、引用例２の記載事項を適用し、その適用の際に、可動演出装置１００やその他の遊技部品を、図柄表示装置Ｈの表示演出部Ｈ１での図柄演出内容に合わせて総合的に作動制御していることや、上記（イ）で示した周知技術２を踏まえれば、保留表示ランプの表示態様に応じて、可動演出装置が動作する期待度が異なるようになすこと、すなわち、上記相違点２に係る本願補正発明の特定事項となすことは当業者が容易になし得たことである。
　
　ウ　相違点３について検討する。
　（ア）パチンコ遊技機において、液晶表示装置等からなる図柄表示部に、ＬＥＤ等の発光部材を用いて保留表示を行う保留表示手段に保留表示が表示されているときに、保留数を容易に確認できるように、前記保留表示の保留記憶に対応する保留画像を表示可能とすることは本願の出願前に周知（以下「周知技術３」という。例．特開２００４−２９８３３８号公報（【０００９】、【００４２】、【０１６５】ないし【０１７３】、図１８には、遊技者が保留成立数を認識可能とするため、４個のＬＥＤからなる始動記憶表示器１８と、飾り保留記憶表示を行う図柄表示部９とを備えたことが記載されている。）、特開２００４−２９８３３９号公報（【０００８】、【００３９】、【０１６２】ないし【０１７０】、図１８には、遊技の興趣を向上させるため、４個のＬＥＤからなる始動記憶表示器１８と、飾り保留記憶表示を行う図柄表示部９とを備えたことが記載されている。）、特開２００９−６０１８号公報（【００６７】、【０１１３】、【０１１７】、図１１には、遊技の興趣の向上のため、第１保留ランプ４６ａのみならず第１表示部ａ１〜ａ４の表示状況からも保留個数が把握できるようになっていることが記載されている。）、特開２０１３−３４７１０号公報（【０００１】、【０２５８】ないし【０２６３】、【０２８９】、【０２９２】、図３、図２２には、遊技者の誤認を招かないために、特図１保留ランプ２１８及び特図２保留ランプ２２０で保留数分のＬＥＤを点灯し、遊技の興趣を向上させるために、装飾図柄表示装置２０８で保留画像を種々の態様で表示することが記載されている。）、上記特開２０１１−３０７１６号公報（【０００１】、【０００７】、【００１９】、【００３７】、【００５８】、【００５９】、図１５、図１６には、遊技の趣向性を高めるために、可変表示装置５３の表示部５４の一部に設けられた始動記憶表示領域５４ａである第１の始動記憶表示手段と、枠装飾表示装置６０である第２の始動記憶表示手段とを備えたことが記載されている。））である。
　（イ）引用例１の【０００５】及び【０００６】には、遊技球の有効保留数を容易に確認し得るようにすることを目的とすることが記載されており、上記（ア）で示した周知技術３と、保留数を容易に確認できることで共通するから、引用発明において、保留表示ランプによる保留表示に加え、図柄表示装置Ｈで、前記保留表示に対応する保留画像を演出表示するようになすこと、すなわち、上記相違点３に係る本願補正発明の特定事項となすことは当業者が周知技術３に基づいて適宜なし得たことである。
　エ　相違点４について検討する。
　（ア）パチンコ遊技機において、遊技の興趣を向上させるため、画像表示部におけるキャラクターが始動記憶表示に影響表示を行うと、該影響表示が行われた始動記憶表示の表示態様が変化することは本願の出願前に周知（以下「周知技術４」という。例．原査定の拒絶の理由で引用された特開２００４−１９５０８９号公報（【０００４】、【０１６３】ないし【０１６８】、図３５には、キャラクターに意外性のある動きをさせて遊技の興趣を向上するために、演出キャラクター１８０が左から２番目の特別図柄始動記憶表示４６の上でベルを鳴らすという影響表示を行うと、この２番目の特別図柄始動記憶表示４６に大当りの表示２００を行うことが記載されている。）、原査定の拒絶の理由で引用された特開２００４−１８８１１７号公報（【０００４】、【０１６８】ないし【０１７３】、図３７には、キャラクターに意外性のある動きをさせて遊技の興趣を向上するために、演出キャラクター１８０が左から２番目の特別図柄始動記憶表示４６の上でベルを鳴らすという影響表示を行うと、この２番目の特別図柄始動記憶表示４６に大当りの表示２００を行うことが記載されている。）、原査定の拒絶の理由で引用された特開２００４−１７４０７５号公報（【０００４】、【０１５８】ないし【０１６２】、図３３には、キャラクターに意外性のある動きをさせて遊技の興趣を向上するために、演出キャラクター１８０が左から２番目の特別図柄始動記憶表示４６の上でベルを鳴らすという影響表示を行うと、この２番目の特別図柄始動記憶表示４６に大当りの表示２００を行うことが記載されている。）、上記特開２００３−３４００３８号公報（【００３０】、【０１１４】、【０１１５】、図１０には、遊技に対する期待感を向上させるために、キャラクタ５２が左から３つ目の始動記憶表示器１８２を指し示し、同時にこの始動記憶表示器１８２を点滅させることで予告報知の成立することが記載されている。））である。
　（イ）引用例１には、「【００５１】・・・略・・・　図柄演出部Ｈ１での図柄演出表示と各第１〜第８の各保留表示ランプ７１〜７８の点灯表示とを連動させることができる。また、図柄演出部Ｈ１の前方に離れた位置で第１〜第８の各保留表示ランプ７１〜７８が点灯するので、立体感のある演出表示を行なうこともできる。」（上記（２）ア（カ））と記載されており、図柄演出部Ｈ１での図柄演出表示と各第１〜第８の各保留表示ランプ７１〜７８の点灯表示とを連動させることの示唆がされている。
　（ウ）上記（ア）で示した周知技術４及び上記（イ）の示唆に基づけば、引用発明は、図柄演出部Ｈ１での図柄演出表示と各第１〜第８の各保留表示ランプ７１〜７８の点灯表示とを連動させるものであるところ、周知技術４もキャラクターが始動記憶表示に影響表示を行う点で演出表示と保留表示とを連動させている点で共通するものである。そうすると、引用発明において、図柄表示装置Ｈにキャラクター等を表示し、該キャラクター等がいずれかの保留表示ランプに影響表示を行うと、該影響表示が行われた保留表示ランプの表示態様が変化するようになすこと、すなわち、上記相違点４に係る本願補正発明の特定事項となすことは当業者が適宜なし得たことである。
　オ　以上のとおりであるから、引用発明において、上記相違点１ないし４に係る本願補正発明の特定事項のようになすことは、当業者が引用例２の記載事項及び周知技術１ないし４に基づいて容易に想到し得たことである。
　カ　本願補正発明の奏する効果は、引用発明の奏する効果、引用例２の記載事項の奏する効果及び周知技術１ないし４の奏する効果から予測することができた程度のものである。
　キ　審判請求人の主張について
　（ア）審判請求人は、審判請求書において、概略以下のとおり主張している。
「【本願発明が特許されるべき理由】
　・・・略・・・
（３）引用文献との対比 
　・・・略・・・
　引用文献１には、保留表示手段、可動部材、演出表示手段の順に並んだ遊技機について開示されています（図９，図１０ご参照）。引用文献１に記載の発明は、演出部材の移動に影響されることなく保留表示手段による有効保留数の表示を確認し得るようにするという課題を解決するために、表示装置の前方の重なる位置に保留表示手段を設けた発明です。しかしながら、引用文献１に記載の発明には、演出表示手段が、保留表示手段に保留表示が表示されているときに保留記憶手段に記憶されている保留記憶情報に対応する演出保留表示を表示可能であるという構成Ｈについては何ら開示も示唆もありません。 
　また、引用文献２には、可動物予告を示唆する保留球画像２０６は、大当りの信頼度に応じて異なる色で表示されてもよいことが開示されています（段落［０１９７］ご参照）。しかしながら、引用文献２にも補正後の本願発明の構成Ｈについては何ら開示も示唆もありません。 
　さらに、周知技術として示された引用文献３〜５には、演出表示手段に対応する画面上に表示した保留表示にキャラクタが作用することにより保留表示の表示態様が変化する遊技機について開示されています。しかしながら、引用文献３〜５にも補正後の本願発明の構成Ｈについては何ら開示も示唆もありません。 
　また、仮に引用文献１に引用文献３〜５の技術を組合わせることができたとしても、表示態様の変化の対象となるのは演出表示手段により表示される演出保留表示であり、保留表示手段に表示される保留表示ではありません。そのため、保留表示手段に表示される保留表示の態様が変化する本願発明とは異なります。 
　構成Ｈ，Ｉを備える補正後の本願発明は、保留表示手段によっても演出表示手段によっても保留表示（演出保留表示）を表示することができるが、演出表示手段により保留表示に作用することを示す表示が実行された場合に、敢えて保留表示手段に表示される保留表示の表示態様を変化させるようにした発明です。これにより、補正後の本願発明は、構成Ｈ，Ｉを備える相乗的な効果として、保留表示手段および演出表示手段による複数の表示手段を用いた関連した演出により遊技の興趣を向上させることができるとともに、保留表示と演出保留表示とで表示される複数の保留表示により可動部材が動作したときでも容易に保留表示を認識することができるという、引用文献１〜５からは奏し得ない有利な効果を奏します。 
　したがいまして、引用文献１〜５に基づいて当業者が本願発明に容易に想到し得たことの論理付けはできません。」
　
　（イ）しかしながら、上記（４）ウ（ア）のとおり、構成Ｈ（審決における特定事項Ｄ−１）は周知技術３として示したように周知といえる。
　また、上記（４）イ（イ）のとおり、ＬＥＤ等の発光部材を用いて保留表示を行う保留表示手段を備えたパチンコ遊技機において、前記保留表示手段の表示態様（発光色や点滅など）によって遊技に関する期待度が異なることは周知技術２として示したように周知であるから、上記（４）イで示したとおり、保留表示手段に表示される保留表示を表示態様の変化の対象とすることは、当業者にとって格別困難なことではない。
　さらに、構成Ｈ、Ｉ（特定事項Ｄ−１、Ｃ−１）を備えれば、保留表示と演出保留表示とで表示される複数の保留表示により可動部材が動作したときでも容易に保留表示を認識することができるという効果も当業者が予測できる範囲のものにすぎない。
　してみると、審判請求人の主張を採用することはできない。
　
（５）独立特許要件のむすび
　以上のとおりであるから、本願補正発明は、当業者が引用例１に記載された発明、引用例２の記載事項及び周知技術１ないし４に基づいて容易に発明をすることができたものである。
　よって、本願補正発明は、特許法第２９条第２項の規定により特許出願の際独立して特許を受けることができないものである。
　
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１に係る発明は、平成２９年８月２３日付けで補正された特許請求の範囲の請求項１に記載された事項によって特定されるものであって、上記第２〔理由〕１（１）に本件補正前の請求項１として記載したとおりのものである。
　
２　原査定の理由の概略
　この出願の平成２９年８月２３日付け手続補正により補正された請求項１に係る発明は、その出願前に日本国内又は外国において頒布され又は電気通信回線を通じて公衆に利用可能となった下記引用文献に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　引用文献１．特開２０１３−１０６７０４号公報
　引用文献２．特開２０１１−１４３１７４号公報
　引用文献３．特開２００４−１９５０８９号公報
　引用文献４．特開２００４−１８８１１７号公報
　引用文献５．特開２００４−１７４０７５号公報
　
３　引用文献
（１）引用文献１（引用例１）及び引用文献２（引用例２）の記載事項は、上記第２〔理由〕３（２）に記載したとおりである。
　
４　対比・判断
　本願発明は、上記「第２〔理由〕１（２）」で検討した本願補正発明から、実質的に、特定事項Ｄ−１である「前記演出表示手段は、前記保留表示手段に前記保留表示が表示されているときに前記保留記憶手段に記憶されている前記保留記憶情報に対応する演出保留表示を表示可能であり、」に係る限定事項を削除したものである。
　そうすると、本願発明と引用発明とは、上記「第２〔理由〕３（３）」に記載した相違点１、２及び４で相違する。
　そして、引用発明において、相違点１、２及び４に係る本願補正発明の特定事項となすことは、上記「第２〔理由〕３（４）」に記載したとおり、当業者が引用例２の記載事項、周知技術１、２及び４に基づいて適宜なし得たものであるから、本願発明は、当業者が引用発明、引用例２の記載事項、周知技術１、２及び４に基づいて容易に発明をすることができたものである。
　
５　むすび
　本願発明は、以上のとおり、当業者が引用例１に記載された発明、引用例２の記載事項、周知技術１、２及び４に基づいて容易に発明をすることができたものであるから、特許法第２９条第２項の規定により特許を受けることができない。
　よって、結論のとおり審決する。